(57)【要約】【課題】いちいちドアを開けて操作する必要がなく、リモコンの使い勝手が良好となる浴室機器用リモコンの設置構造を提供する。【解決手段】浴室内に設置された赤外線方式の受光部を持つ浴室機器を操作するための、赤外線方式の発光部７ｂを持つリモコン７を、浴室内側向きから浴室外向き状態に亘り回動可能に浴室入口に設けた反転台８に設置する。【選択図】図３
2004205126.tif 000002
【特許請求の範囲】
【請求項１】
浴室内に設置された赤外線方式の受光部を持つ浴室機器を操作するための、赤外線方式の発光部を持つリモコンを、操作面が、浴室内から浴室外へ亘り反転できるように設置したことを特徴とする浴室機器用リモコンの設置構造。
【請求項２】
浴室の入口に、浴室内向き状態から浴室外向き状態へ亘り回動可能に反転台を設け、該反転台にリモコンを設置したことを特徴とする請求項１に記載の浴室機器用リモコンの設置構造。
【発明の詳細な説明】
【０００１】
【発明の属する技術分野】
この発明は、浴室内に設置された機器を遠隔操作するリモコンの設置構造に関するものである。
【０００２】
【従来の技術】
従来、図９に示すように、浴室１のドア５１付近に赤外線リモコン５２を設置し、使用時には、リモコンホルダー５３から赤外線リモコン５２を外して、ドア５１を開けて、浴室１内の機器に向かって赤外線リモコン５２から赤外線を発信し、機器を作動させていた（例えば、特許文献１参照。）。
なお、浴室外の洗面室等に、電波式のワイヤレスリモコンを設置して、電波で浴室内の機器を作動させる構成がある（例えば、特許文献２参照。）。
【０００３】
【特許文献１】
特開平８−２８９９９７号公報
【特許文献２】
特開２００１−１０４６９５号公報
【０００４】
【発明が解決しようとする課題】
図９のような構造においては、操作する毎に、赤外線リモコン５２をリモコンホルダー５３から外し、また、ドア５１を開けて操作する必要があり、使い勝手が悪いという問題点があった。
また、図１０に示すように、浴室１の室内側に防水式の赤外線リモコン５２を設置した構造では、赤外線リモコン５２に防水加工を施す必要があり、また、浴室外から操作するためには、入口ドア５１を開放して、浴室内に足を踏み入れ、赤外線リモコン５２を操作する必要があり、使い勝手が悪いという問題点があった。
また、浴室外に電波式のワイヤレスリモコン等を設置する場合には、浴室の工事業者とは別の工事業者によりリモコンが設置されるため、工事区分が別となり、浴室の工事業者の工事だけでは完了することができないばかりか、工事責任が不明確となるという問題点があった。
【０００５】
【課題を解決するための手段】
本発明は、上記従来の問題点に鑑み案出したものであって、浴室の入口ドアを開けなくても、良好にリモコンの操作を行うことができ、使用勝手が良好化し、また浴室の工事範囲内で良好に設置できるリモコンの設置構造を提供せんことを目的とし、その第１の要旨は、浴室内に設置された赤外線方式の受光部を持つ浴室機器を操作するための、赤外線方式の発光部を持つリモコンを、操作面が、浴室内から浴室外へ亘り反転できるように設置したことである。
また、第２の要旨は、浴室の入口に、浴室内向き状態から浴室外向き状態へ亘り回動可能に反転台を設け、該反転台にリモコンを設置したことである。
【０００６】
【発明の実施の形態】
以下、本発明の実施例を図面に基づいて説明する。
図１は、浴室の斜視構成図であり、浴室１内には浴槽２が設置され、その上方の天井部には浴室暖房機３が設置されており、浴室１に出入りするための入口ドア４は、本例では、親扉４ａと小扉４ｂの開き戸で構成されている。また、入口ドア４の上部には、洗面室５側を暖房する洗面室暖房機６が設けられている。
本例では、この入口ドア４の小扉４ｂにリモコン７が取り付けられている。
【０００７】
リモコン７は、反転させて、室内側或いは室外側の何れか側からでも操作できるように取り付けられており、リモコン７を操作することにより、図２に示すように、赤外線信号が発せられ、浴室暖房機３の赤外線受光部３ａで信号を受けて、浴室暖房機３が作動されるものである。
【０００８】
なお、リモコン７は、図３の分解図で示すように、反転台８に着脱可能に設置されるものである。
リモコン７の操作面７ａには、例えば、浴室内の機器である照明器，換気扇，浴室暖房機３，自動排水栓，換気乾燥暖房機等を操作するための各種のスイッチが設けられている。また、リモコン７の上面には、赤外線を発光する赤外線発光部７ｂが設けられている。
一方、反転台８は、背面８ａの左右両端に、前方側へ突出して側面８ｂ，８ｂが形成され、上面８ｃには、リモコン７の赤外線発光部７ｂと整合する位置に切欠部９が形成されている。
また、底面８ｄの前端は、前方側へ湾曲状に突出した反転つまみ部８ｅを形成している。
【０００９】
この反転台８は、図４の拡大断面図で示すように、小扉４ｂ内に回動可能に取り付けられるものである。
即ち、反転台８の底面８ｄの下面には、軸部８ｆが垂設されており、軸部８ｆの下端には、鍔状の抜止部８ｇが一体形成されており、小扉４ｂには、予め軸孔４ｆを形成させておき、この軸孔４ｆ内に軸部８ｆを挿着して、軸部８ｆを中心として水平面内で反転台８を反転可能に取り付けておくことができ、反転台８にリモコン７を設置した状態では、反転台８を介して、リモコン７の操作面７ａを、図４に示すように浴室の外側向きに配置することができ、また反転台８を浴室内側へ反転させて、図５に示すように、リモコン７の操作面７ａを浴室内側に向けて配置することができる。
この反転操作時には、反転つまみ部８ｅを手でつまんで良好に反転させることができるものである。
【００１０】
なお、図４及び図５に示すように、小扉４ｂには発信プリズム１０を設置しておき、この発信プリズム１０は、リモコン７の赤外線発光部７ｂの上部（反転台８の切欠部９の上部）に配置されて、赤外線発光部７ｂから発せられた赤外線が、この発信プリズム１０で反射されて、図２に示すように、反射された赤外線が、浴室内に設置された暖房機３等の機器に向かうように構成されている。
なお、反転台８を反転させる時には、小扉４ｂとの間に若干の隙間が発生するが、浴室１内の湿気が洗面室５側へ漏れることがないように、反転台８は小扉４ｂ内に回動可能に設置される。
【００１１】
例えば図４のように、リモコン７を浴室外向きに配置させた状態では、浴室１内に入る前に、洗面室５側からリモコン７の操作面７ａのスイッチを操作して、浴室暖房機３を作動させて、予め浴室１内を温めておくことができるものである。
また、図５のように、リモコン７を浴室内向きに配置させた状態では、浴室内から操作面７ａのスイッチを操作して、例えば浴室内の換気扇等を作動させることが可能となる。
【００１２】
このように、リモコン７を操作する際に、逐一、入口ドア４を開ける必要がなく、使い勝手が良好なものとなる。
また、反転台８及びリモコン７の設置工事は、浴室１を施工するユニットバス業者の工事範囲内で行うことができるため、責任が明確なものとなる。
なお、リモコン７の電池交換を行う場合等には、リモコン７を反転台８から取り外して、良好に電池の交換等が行えるものである。
【００１３】
次に、図６は変更例を示すものであり、図６では、浴室１の入口ドア４を３枚引き戸４ｃで構成し、この３枚引き戸４ｃの握り手４ｄの上部に、リモコン７を反転可能に取り付けたものである。
図７は、３枚引き戸４ｃを閉じた状態の平面拡大構成図であり、図８は、３枚引き戸４ｃを開けた状態の平面拡大構成図である。なお、図中４ｅはドア枠である。
【００１４】
このように、３枚引き戸４ｃの握り手４ｄを備えた扉部分にリモコン７を設置することもでき、このような構造でも、３枚引き戸４ｃを逐一開閉させることなく、良好にリモコン７を室内向き、或いは室外向きに反転させて、入浴中に操作する機会が多い人は、浴室内向きにリモコン７を配置しておくことができ、また浴室外から操作することが多い人は、浴室外向きにリモコン７を配置させて使用することができるものとなり、使い勝手が良好となる。
しかも、リモコン７は、浴室を施工する業者が、入口ドア４を施工する際に設置されるものであるため、浴室施工業者の工事範囲内となり、責任が明確なものとなる。
【００１５】
【発明の効果】
本発明の浴室機器用リモコンの設置構造は、浴室内に設置された赤外線方式の受光部を持つ浴室機器を操作するための、赤外線方式の発光部を持つリモコンを、操作面が、浴室内から浴室外へ亘り反転できるように設置したことにより、逐一、入口のドアを開けて操作する必要がなく、室内側からでも、また室外側からでも、リモコンを操作することができ、使い勝手が良好なものとなる。
【００１６】
また、浴室の入口に、浴室内向き状態から浴室外向き状態へ亘り回動可能に反転台を設け、反転台にリモコンを設置したことにより、反転台を介しリモコンを浴室内向きに配置して、浴室内から操作することも、また浴室外向きに配置して、浴室外から操作することもでき、使い勝手が向上する。
また、浴室施工業者の工事範囲内で、リモコンの設置が行われるため、責任が明確なものとなる。
【図面の簡単な説明】
【図１】浴室の入口ドアの小扉にリモコンを設置した状態の斜視構成図である。
【図２】リモコンからの信号により浴室暖房機を作動させる状態の、浴室内から見た斜視構成図である。
【図３】リモコンと反転台の分解斜視図である。
【図４】反転台を介しリモコンを設置した状態の扉の断面構成図である。
【図５】図４の状態から反転させてリモコンを浴室内向きに配置した状態の断面構成図である。
【図６】３枚引き戸の扉にリモコンを設置した状態の浴室の斜視構成図である。
【図７】３枚引き戸を閉じた状態の平面拡大構成図である。
【図８】３枚引き戸を開いた状態の平面拡大構成図である。
【図９】従来、赤外線リモコンを浴室の外にホルダーを介して取り付けた場合の浴室の斜視構成図である。
【図１０】従来、浴室の内側に赤外線リモコンが設置されている場合の操作状態の説明図である。
【符号の説明】
１  浴室
３  浴室暖房機
３ａ  赤外線受光部
４  入口ドア
４ａ  開き戸親扉
４ｂ  小扉
４ｃ  ３枚引き戸
４ｄ  握り手
４ｅ  ドア枠
５  洗面室
７  リモコン
７ａ  操作面
７ｂ  赤外線発光部
８  反転台
８ｄ  底面
８ｅ  反転つまみ部
１０  発信プリズム
【図１】
2004205126.tif 000003
【図２】
2004205126.tif 000004
【図３】
2004205126.tif 000005
【図４】
2004205126.tif 000006
【図５】
2004205126.tif 000007
【図６】
2004205126.tif 000008
【図７】
2004205126.tif 000009
【図８】
2004205126.tif 000010
【図９】
2004205126.tif 000011
【図１０】
2004205126.tif 000012